(57)【特許請求の範囲】
【請求項１】
複数の固定接点を有するハウジングと、前記ハウジングに配され押圧操作に応じて前記複数の固定接点に離接する可動接点板と、前記ハウジングの前方側から一部突出して配され、押圧操作により前記可動接点板を可動させるための操作体と、前記ハウジングに嵌合され前記操作体の抜け落ちを防止するカバーとを備え、
前記ハウジングの下方側の一部が電気製品の基板に設けられた切り欠き部に配置可能であって、押圧操作により前記操作体が前記ハウジングの前方側から後方側へ向けての方向に移動可能としたプッシュスイッチにおいて、
前記ハウジングには前記カバーと嵌合する嵌合部が設けられており、前記嵌合部は、前記ハウジングの上方側から下方側への方向に沿って形成された平坦な面である嵌合面と、前記ハウジングの上方側から下方側への方向に沿って形成された平坦な面であるガイド面とを有し、前記嵌合面は前記操作体が押圧操作される方向に臨んで形成され、前記ガイド面は前記嵌合面に連続し前記操作体が押圧操作される方向から離れる方向へ向って傾斜して形成され、
前記カバーは前記嵌合部と嵌合する嵌合片を有し、
前記嵌合片は前記ガイド面側から前記嵌合面に向かう方向の曲げ部を有し、前記嵌合面と係合することで前記カバーは前記ハウジングに嵌合することを特徴とするプッシュスイッチ。
【請求項２】
前記ハウジングと一体に形成された前記固定接点の一部を前記嵌合部に対応する位置まで延長して前記嵌合部を補強する補強片を形成していることを特徴とする請求項１に記載のプッシュスイッチ。
【請求項３】
前記補強片は、前記ハウジングの外方まで突出して形成されていることを特徴とする請求項２に記載のプッシュスイッチ。
【発明の詳細な説明】
【技術分野】
【０００１】
本発明は、横押し操作のプッシュスイッチに関し、特に、異常な押圧操作を受けた場合でも、外形を形成するカバーとハウジングの嵌合が外れ難いプッシュスイッチに関するものである。
【背景技術】
【０００２】
昨今、スマートフォン（高機能携帯電話）の側面に配置される操作スイッチとして横押し操作のプッシュスイッチが使われることが多い。スマートフォンの側面に配置されているため、スマートフォンを操作中に誤って落とした場合などに、落ち方が悪いとプッシュスイッチに異常な押圧（衝撃）が加わり、その押圧によりプッシュスイッチの外形を形成するカバーとハウジングの嵌合が外れて操作できなくなることが考えられる。
【０００３】
そのため、異常な押圧操作がされた場合でもカバーとハウジングの嵌合が外れることのないプッシュスイッチが求められている。
【０００４】
従来の横押し操作のプッシュスイッチとしては、下記の特許文献１に記載のプッシュスイッチが知られている。
【０００５】
以下、図１２および図１３を用いて、特許文献１に記載のプッシュスイッチについて説明する。図１２は、プッシュスイッチＳＷの外観図である。図１３はプッシュスイッチＳＷの構成を示す分解斜視図である。
【０００６】
特許文献１に記載のプッシュスイッチＳＷは、図１２および図１３に示すように、前方が開口した凹部ＢＴ底面に中央固定接点ＣＣと外側固定接点ＯＣが露呈するようにインサート成形により固定されたスイッチ本体部ＳＢを有すると共に、そのスイッチ本体部ＳＢの両側面並びに後面の上部に外方に向かって突出形成された受け部ＣＴを備え、プリント配線板の端部に形成された切り欠き部に装着される際に、スイッチ本体部ＳＢの後部が前記切り欠き部の後端面に当接し、受け部ＣＴの下面が前記プリント配線板の上面に当接載置可能な形状に形成された絶縁樹脂製のケースＣＡと、外周端部が外側固定接点ＯＣに載せられて前記ケースの凹部ＢＴ内に収容される弾性金属薄板製のドーム状可動接点ＭＣと、ドーム状可動接点ＭＣをケースＣＡに保持し保護するシート部材ＳＴと、ドーム状可動接点ＭＣを後端で押圧可能なようにケースＣＡに前後動可能に配された操作体ＡＣと、ケースＣＡに取り付けられ、後面で操作体ＡＣを保持するカバーＣＶと、ケースＣＡの凹部ＢＴに設けられた中央固定接点ＣＣおよび外側固定接点ＯＣに導通した端子ＴＲからなる。
【０００７】
ケースＣＡは、上下の面に凹形状に形成された段部ＤＤを有し、カバーＣＶは、ケースＣＡの上下の面に対応する箇所に段部ＤＤに挿入可能な取付脚ＬＫを有しており、カバーＣＶはケースＣＡの上下面に形成された段部ＤＤに対して、取付脚ＬＫを折り曲げることで係止させて取り付けられている。
【先行技術文献】
【特許文献】
【０００８】
【特許文献１】特許第３９５９９１６号公報
【発明の概要】
【発明が解決しようとする課題】
【０００９】
特許文献１に記載のプッシュスイッチＳＷは、通常に使用した場合には使用上に特に問題のないプッシュスイッチである。
【００１０】
しかしながら、プッシュスイッチＳＷは操作体ＡＣに対して異常な押圧操作力が加わると、プッシュスイッチＳＷは基板に固定されているため、取付脚ＬＫにはカバーＣＶが基板から離れる方向（上方向）に力が働く。また、ケース内部には中央固定接点ＣＣと外側固定接点ＯＣが露呈するようにインサート成形されており段部ＤＤの深さを深くできないため、取付脚ＬＫと段部ＤＤとの上下方向の嵌合長さを長く取ることがむずかしい。
【００１１】
そのため、操作体ＡＣに異常な押圧が加わり取付脚ＬＫを上方向へ移動させる力が働いた場合に、カバーＣＶとケースＣＡを嵌合する取付脚ＬＫと段部ＤＤの係合が外れてプッシュスイッチとして機能しなくなることが懸念される。
【００１２】
本発明は、上述した課題を解決して、操作体に異常な押圧操作力が加わった場合でもカバーとケースとの嵌合が外れずに機能するプッシュスイッチを提供するものである。
【課題を解決するための手段】
【００１３】
請求項１に記載のプッシュスイッチは、複数の固定接点を有するハウジングと、前記ハウジングに配され押圧操作に応じて前記複数の固定接点に離接する可動接点板と、前記ハウジングの前方側から一部突出し手配され、押圧操作により前記可動接点板を可動させるための操作体と、前記ハウジングに嵌合され前記操作体の抜け落ちを防止するカバーとを備え、前記ハウジングの下方側の一部が電気製品の基板に設けられた切り欠き部に配置可能であって、押圧操作により前記操作体が前記ハウジングの前方側から後方側へ向けての方向に移動可能としたプッシュスイッチにおいて、前記ハウジングには前記カバーと嵌合する嵌合部が設けられており、前記嵌合部は、前記ハウジングの上方側から下方側への方向に沿って形成された平坦な面である嵌合面と、前記ハウジングの上方側から下方側への方向に沿って形成された平坦な面であるガイド面とを有し、前記嵌合面は前記操作体が押圧操作される方向に臨んで形成され、前記ガイド面は前記嵌合面に連続し前記操作体が押圧操作される方向から離れる方向へ向って傾斜して形成され、前記カバーは前記嵌合部と嵌合する嵌合片を有し、前記嵌合片は前記ガイド面側から前記嵌合面に向かう方向の曲げ部を有し、前記嵌合面と係合することで前記カバーは前記ハウジングに嵌合する、という特徴を有する。
【００１４】
請求項２に記載のプッシュスイッチは、前記ハウジングと一体に形成された前記固定接点の一部を前記嵌合部に対応する位置まで延長して前記嵌合部を補強する補強片を形成している、という特徴を有する。
【００１５】
請求項３に記載のプッシュスイッチは、前記補強片は、前記ハウジングの外方まで突出して形成されている、という特徴を有する。
【発明の効果】
【００１７】
請求項１の発明によれば、嵌合面の面積を従来よりも広くすることが可能となり、異常に強い押圧操作力で押圧操作を受け、カバーが上方向へ力を受けた場合においても、従来に比べてカバーとハウジングの嵌合が外れ難く、カバーが抜け落ちることを防止することができる、という効果を奏する。さらに、嵌合面の短手方向であるガイド面側から圧入することで、従来と同等の荷重で嵌合片の圧入を行なうことができるとともに、異常に強い力で押圧操作を受けた場合には、嵌合片には嵌合面の短手方向には力が加わらず、嵌合面の長手方向に力が加わるため、嵌合片の位置がずれた場合でも嵌合面と嵌合片との嵌合は外れ難く、カバーが抜け落ちることを防止することができる、という効果を奏する。
【００１９】
請求項２の発明によれば、異常に強い押圧操作力で押圧操作を受け嵌合片に力が加わった場合でも、補強片を嵌合部に対応する位置に配置することで嵌合部の強度を向上させることができ、嵌合部が撓むことで嵌合が緩みカバーが抜け落ちることを防止することができる、という効果を奏する。
【００２０】
請求項３の発明によれば、ハウジングを成形後に補強片の末端を切断することが可能となり、補強片を切断してからハウジングを成形する場合に比べて固定接点の引き回しを容易にできる、という効果を奏する。
【図面の簡単な説明】
【００２１】
【図１】プッシュスイッチ１の構成部品を示す分解斜視図である。
【図２】プッシュスイッチ１の前面を示す図である。
【図３】プッシュスイッチ１の後面を示す図である。
【図４】ハウジング１１を示す図である。
【図５】可動接点板１２を示す図である。
【図６】シート部材１３を示す図である。
【図７】操作体１４を示す図である。
【図８】カバー１５を示す図である。
【図９】嵌合部１１ｅと嵌合片１５ｆと嵌合方法を示す図である。
【図１０】プッシュスイッチ１の動作を示す図である。
【図１１】プッシュスイッチ１の電気製品の基板ＢＯへの取付方法を説明する図である。
【図１２】プッシュスイッチＳＷの外観図である。
【図１３】プッシュスイッチＳＷの構成を示す分解斜視図である。
【発明を実施するための形態】
【００２２】
［第１実施形態］
以下に第１実施形態におけるプッシュスイッチ１について説明する。
【００２３】
まず始めに本実施形態におけるプッシュスイッチ１の構成について図１ないし図３を用いて説明する。図１はプッシュスイッチ１の構成部品を示す分解斜視図である。図２はプッシュスイッチ１の前面を示す図である。図３はプッシュスイッチ１の後面を示す図である。
【００２４】
プッシュスイッチ１は、図１に示すように、複数の固定接点１６を有するハウジング１１と、ハウジング１１に配され押圧操作に応じて複数の固定接点１６に離接する可動接点板１２と、可動接点板１２を固定接点１６と離説可能な状態でハウジング１１に保持するシート部材１３と、ハウジング１１の前方側から一部が突出するように配され、押圧操作により可動接点板１２を可動させるための操作体１４と、ハウジング１１に嵌合され操作体１４の抜け落ちを防止するカバー１５とを備えている。
【００２５】
プッシュスイッチ１は、図２および図３に示すように、電気製品の基板ＢＯに設けられた切り欠き部ＳＬにハウジング１１の下方側の一部が配置可能であって、操作体１４がハウジング１１の前方側から後方側へ向けての方向（矢印Ａ方向）に移動可能としたプッシュスイッチである。なお、基板ＢＯの形状は説明のために簡略に示したものであり、各種の電気製品に応じてその形状は変わるものである。
【００２６】
次に、構成部品について、図４ないし図８を用いて説明する。図４はハウジング１１を示す図であり、図４（ａ）はハウジング１１の前方側を示す図であり、図４（ｂ）はハウジング１１の後方側を示す図である。図５は可動接点板１２を示す図であり、図５（ａ）は可動接点板１２の斜視図であり、図５（ｂ）は可動接点板１２の側面を表わす図である。図６はシート部材１３を示す図である。図７は操作体１４を示す図であり、図７（ａ）は操作体１４の前方側を示す図であり、図７（ｂ）は操作体１４の後方側を示す図である。図８はカバー１５を示す図であり、図８（ａ）はカバー１５の上方側を示す図であり、図８（ｂ）はカバー１５の下方側を示す図である。
【００２７】
ハウジング１１は、図４に示すように、合成樹脂材からなり、略直方体形状に形成されている。また、ハウジング１１は、基台部１１ａを有しており、インサート成形により、その一部をハウジング１１の表面から露出する固定接点１６が基台部１１ａと一体に形成されている。また、固定接点１６は金属板からなっている。
【００２８】
基台部１１ａの前面の中央には略楕円形の凹状に形成され可動接点板１２を配置可能な可動接点板１２の配置部１１ｂが設けられ、配置部１１ｂの中央には固定接点１６の一部である第１固定接点１６ａが露出して設けられており、配置部１１ｂの左右端には固定接点１６の一部であり第１固定接点１６ａと電気的な接続が無い第２固定接点１６ｂが露出して設けられている。
【００２９】
基台部１１ａの前方上側の左右端には、ハウジング１１と一体に形成された第２固定接点１６ｂの一部を左右方向に嵌合部１１ｅに対応する位置まで延長して形成された補強片１６ｃがハウジング１１の外方まで露出して設けられている。
【００３０】
基台部１１ａの前面には、操作体１４の動作をガイドするガイド壁１１ｃが、配置部１１ｂを挟んで左右両側に、基台部１１ａに対して垂直にかつ前方側へ突出してそれぞれ形成されている。配置部１１ｂに臨む側のガイド壁１１ｃの面には操作体１４の形状に対応した形状に形成された案内部１１ｄがそれぞれ形成されている。
【００３１】
また、補強片１６ｃが設けられた位置に対応する基台部１１ａの後方の位置には、図４（ｂ）に示すように、カバー１５と嵌合する嵌合部１１ｅが設けられており、嵌合部１１ｅは、ハウジング１１の上方側から下方側への方向に沿って形成された平坦な面である嵌合面１１ｆと、ハウジング１１の上方側から下方側への方向に沿って形成された平坦な面であるガイド面１１ｇとを有し、嵌合面１１ｆは後方に臨んで形成され、ガイド面１１ｇは嵌合面１１ｆに連続した面であり、嵌合面１１ｆに対して前方へ傾斜して形成されている。
【００３２】
ハウジング１１の後方側には金属板からなり外部と電気的な接続が可能な第１端子１６ｄと第２端子１６ｅとが設けられている。第１端子１６ｄと第２端子１６ｅとは左右方向に並び、後方に突出するように形成されている。
【００３３】
第１端子１６ｄは第１固定接点１６ａの一部を延設して形成され、第２端子１６ｅは第２固定接点１６ｂの一部を延設して形成されている。
【００３４】
可動接点板１２は、図５（ａ）および図５（ｂ）に示すように、金属板からなり略楕円形のドーム形状に形成されている。ドーム形状に形成された可動接点部１２ａは、可動接点部１２ａが突出している方向から押圧されると押圧される方向へ撓んだ後に反転し、押圧を解除すると押圧前の形状に戻る。
【００３５】
シート部材１３は、図６に示すように、可撓性を有した合成樹脂材料からなり、シート状に形成されている。シート部材１３の外形は略八角形に形成されるとともに、一方の面には接着剤が塗布された粘着面１３ａが形成されている。
【００３６】
操作体１４は、図７（ａ）および図７(ｂ)に示すように、合成樹脂材料から形成されている。操作体１４は板状に形成された基部１４ａと基部１４ａの一方の面から柱状に突出して形成された釦部１４ｂとを有する。釦部１４ｂの上下方向の幅寸法と基部１４ａの上下方向の幅寸法とは同じ寸法に形成されている。
【００３７】
操作体１４を前方側から見たとき、基部１４ａは略八角形に形成されており、操作体１４の基部１４ａの四隅にはそれぞれ面取り形状に形成された傾斜面１４ｃを有している。
【００３８】
基部１４ａの他方の面の中心には可動接点板１２の可動接点部１２ａを押圧可能な凸部１４ｄが形成されている。凸部１４ｄは基部１４ａから離れる方向へ突出した円錐の先端を切り取ったような形状に形成されている。
【００３９】
カバー１５は、図８（ａ）および図８(ｂ)に示すように、金属板を板金加工して形成されている。カバー１５は略長方形状に形成された前面板１５ａと、前面板１５ａの上下から前面板１５ａに対して垂直に同じ方向（後方向）へ延設された保護壁１５ｂと、前面板１５ａの左右から前面板１５ａに対して垂直に保護壁１５ｂと同じ方向へ延設された側壁１５ｃと、を有する。
【００４０】
また、カバー１５の前面板１５ａは釦部１４ｂを挿通可能な開口部１５ｄを有し、開口部１５ｄの上下方向の幅寸法と前面板１５ａの上下方向の幅寸法とは同じ寸法まで拡げている。
【００４１】
保護壁１５ｂは、保護壁１５ｂの後側端面の左右端から後方向へ延設された延設部１５ｅを有し、延設部１５ｅの先端にはそれぞれ左右方向の外側に向かって突出して設けられハウジング１１の嵌合部１１ｅと嵌合する嵌合片１５ｆを有する。
【００４２】
また、嵌合片１５ｆの前方側の端面には、爪部１５ｇが凸形状に形成されている。
【００４３】
側壁１５ｃは基板ＢＯ（図２参照）に取り付けるときに半田付けされる半田付け部１５ｈをそれぞれ有し、半田付け部１５ｈは側壁１５ｃの下方端部を側壁１５ｃに対して垂直にカバー１５の内側へ向けて折り曲げて形成されている。
【００４４】
また、半田付け部１５ｈを含むカバー１５の下方側の領域には金メッキが施されている。
【００４５】
次にプッシュスイッチ１の構造について図１および図９を用いて説明する。図９は嵌合部１１ｅと嵌合片１５ｆと嵌合方法を示す図であり、図９（ａ）は嵌合部１１ｅと嵌合片１５ｆとの嵌合前の状態を示す図であり、図９（ｂ）は嵌合部１１ｅと嵌合片１５ｆとの嵌合後の状態を示す図である。
【００４６】
図１に示すように、可動接点板１２を２枚重ね、ハウジング１１の配置部１１ｂに配置する。このとき、可動接点板１２は可動接点部１２ａをハウジング１１に設けられた固定接点１６から遠ざかる方向に向けて配置され、第２固定接点１６ｂと電気的に接続される。
【００４７】
シート部材１３は、粘着面１３ａを可動接点板１２に向けて可動接点板１２に重ねて配置されるとともに、粘着面１３ａの一部をハウジング１１の基台部１１ａに接着し、可動接点板１２をハウジング１１に保持する。
【００４８】
操作体１４は凸部１４ｄ（図７参照）がシート部材１３に当接するように、シート部材１３に重ねて配置される。このとき、操作体１４の傾斜面１４ｃは、それぞれに対応するガイド壁１１ｃの案内部１１ｄによって案内され、案内部１１ｄに沿って移動可能に配置される。また、釦部１４ｂは、ハウジング１１の案内部１１ｄから前方側に突出するように配置される。
【００４９】
カバー１５は、保護壁１５ｂと側壁１５ｃとに囲まれた領域にハウジング１１のガイド壁１１ｃを挿入するようにハウジング１１に重ねて配置される。このとき、操作体１４の釦部１４ｂはカバー１５の開口部１５ｄに挿通され、外部に露出した状態でハウジング１１の前方側に配置される。
【００５０】
ハウジング１１に重ねて配置されたカバー１５は、図９（ａ）に示すように、嵌合片１５ｆを矢印Ｂおよび矢印Ｃ方向にかしめられ、図９（ｂ）に示すように、嵌合片１５ｆはガイド面１１ｇ側から爪部１５ｇ（図８参照）が嵌合面１１ｆに食い込むように圧入され、嵌合面１１ｆと嵌合片１５ｆとが係合することでカバー１５はハウジング１１に嵌合する。
【００５１】
これにより、ハウジング１１内にカバー１５によって一体に配置された操作体１４、シート部材１３および可動接点板１２は、一方の幅方向はカバー１５により外部からの塵埃などの浸入を防ぎ、他方の幅方向はガイド壁１１ｃにより外部からの塵埃などの浸入を防ぐ。
【００５２】
次に、プッシュスイッチ１の動作について、図１０を用いて説明する。図１０はプッシュスイッチ１の動作を示す図であり、図１０（ａ）は操作前のプッシュスイッチ１の状態を示す図であり、図１０（ｂ）は操作後のプッシュスイッチ１の状態を示す図である。なお、説明を容易にするため、図１０においては可動接点ばね１２は１つのみの記載としている。
【００５３】
図１０（ａ）に示すように、矢印Ｄ方向に操作体１４の釦部１４ｂを押圧すると、操作体１４は矢印Ｄ方向に移動する。矢印Ｄ方向に移動した操作体１４は、図１０（ｂ）に示すように、凸部１４ｄをシート部材１３に当接し、シート部材１３を介して可動接点板１２を押圧する。押圧された可動接点板１２は可動接点部１２ａが押圧された方向に撓み、第１固定接点１６ａに当接する。
【００５４】
押圧された可動接点板１２が第１固定接点１６ａに当接することで、可動接点板１２を介して第１固定接点１６ａと第２固定接点１６ｂとの間が電気的に導通する。また、操作体１４への押圧操作が解除されると、可動接点板１２の弾性力により操作体１４、シート部材１３および可動接点板１２は押圧される前の位置に戻り、第１固定接点１６ａと第２固定接点１６ｂとの間の電気的な導通が解除される。このようにして第１固定接点１６ａと第２固定接点１６ｂとの間の電気的な導通を切り替えることでスイッチ機能が得られる。
【００５５】
次に、プッシュスイッチ１の電気製品の基板ＢＯへの取付について図１１を用いて説明する。図１１はプッシュスイッチ１の電気製品の基板ＢＯへの取付方法を説明する図であり、図１１（ａ）はプッシュスイッチ１を基板ＢＯに取付する前の状態を示す図であり、図１１（ｂ）はプッシュスイッチ１を基板ＢＯに取付した状態を示す図である。
【００５６】
基板ＢＯには、図１１（ａ）に示すように、金属箔からなりプッシュスイッチ１を基板に保持するための第１ランド部ＬＮ１と、金属箔からなりプッシュスイッチ１と電気的な接続をする第２ランド部ＬＮ２と、凹形状に切りかかれた切り欠き部ＳＬとが形成されている。
【００５７】
プッシュスイッチ１は、図１１（ｂ）に示すように、切り欠き部ＳＬ（図１１（ａ）参照）内にハウジング１１の下方側の一部を挿入して配置される。このとき、第１ランド部ＬＮ１上にはカバー１５に設けられた半田付け部１５ｈが配置され、一方の第２ランド部ＬＮ２上には第１端子１６ｄが配置され、他方の第２ランド部ＬＮ２には第２端子１６ｅが配置されている。
【００５８】
このように配置されたハンダ付け部１５ｈ、第１端子１６ｄおよび第２端子１６ｅをそれぞれ対応する第１ランド部ＬＮ１または第２ランド部ＬＮ２に半田付けすることで、プッシュスイッチ１は基板ＢＯ上に固定されるとともに、基板ＢＯと電気的に接続される。
【００５９】
以下、本実施形態としたことによる効果について説明する。
【００６０】
本実施形態のプッシュスイッチ１では、複数の固定接点１６を有するハウジング１１と、ハウジング１１に配され押圧操作に応じて複数の固定接点１６に離接する可動接点板１２と、ハウジング１１の前方側から一部突出して配され、押圧操作により可動接点板１２を可動させるための操作体１４と、ハウジング１１に嵌合され操作体１４の抜け落ちを防止するカバー１５とを備え、ハウジング１１の下方側の一部が電気製品の基板ＢＯに設けられた切り欠き部ＳＬに配置可能であって、押圧操作により操作体１４がハウジング１１の前方側から後方側へ向けての方向に移動可能としたプッシュスイッチにおいて、ハウジング１１にはカバー１５と嵌合する嵌合部１１ｅが設けられており、嵌合部１１ｅは、ハウジング１１の上方側から下方側への方向に沿って形成された平坦な面である嵌合面１１ｆと、ハウジング１１の上方側から下方側への方向に沿って形成された平坦な面であるガイド面１１ｇとを有し、嵌合面１１ｆは操作体１４が押圧操作される方向に臨んで形成され、ガイド面１１ｇは嵌合面１１ｆに連続し操作体１４が押圧操作される方向から離れる方向へ向って傾斜して形成されている、構造とした。
【００６１】
これにより、嵌合面１１ｆの上下方向の長さを従来に比べて長く取ることができる。したがって、異常に強い力で押圧操作を受け、カバー１５の嵌合片１５ｆが上方向へ力を受けた場合においても、カバー１５とハウジング１１の嵌合が外れ難く、カバー１５が抜け落ちることを防止することができる、という効果を奏する。
【００６２】
また、本実施形態のプッシュスイッチ１では、カバー１５は嵌合部１１ｅと嵌合する嵌合片１５ｆを有し、嵌合片１５ｆはガイド面１１ｇ側から嵌合面１１ｆに向かう方向に圧入され、嵌合面１１ｆと係合することでカバー１５はハウジング１１に嵌合する、構造とした。
【００６３】
これにより、嵌合面１１ｆの短手方向であるガイド面１１ｇ側から圧入することで、従来と同等の荷重で嵌合片１５ｆの圧入を行なうことができるとともに、異常に強い力で押圧操作を受けた場合には、嵌合片１５ｆには嵌合面１１ｆの短手方向には力が加わらず、嵌合面１１ｆの長手方向に力が加わるため、嵌合片１５ｆの位置がずれた場合でも嵌合面１１ｆと嵌合片１５ｆとの嵌合は外れ難く、カバー１５が抜け落ちることを防止することができる、という効果を奏する。
【００６４】
また、本実施形態のプッシュスイッチ１では、ハウジング１１と一体に形成された固定接点１６の一部を嵌合部１１ｅに対応する位置まで延長して嵌合部１１ｅを補強する補強片１６ｃを形成している、構造とした。
【００６５】
これにより、異常に強い力で押圧操作を受けて嵌合片１５ｆに力が加わった場合でも、補強片１６ｃを嵌合部１１ｅに対応する位置に配置することで嵌合部１１ｅの強度を向上させることができ、嵌合部１１ｅが撓むことで嵌合が緩みカバー１５が抜け落ちることを防止することができる、という効果を奏する。
【００６６】
また、本実施形態のプッシュスイッチ１では、補強片１６ｃは、ハウジング１１の外方まで突出して形成されている、構造とした。
【００６７】
これにより、ハウジング１１を成形後に補強片１６ｃの末端を切断することが可能となり、補強片１６ｃを切断してからハウジング１１を成形する場合に比べて固定接点１６の引き回しを容易にできる、という効果を奏する。
【００６８】
また、本実施形態のプッシュスイッチ１では、半田付け部１５ｈの長手方向を釦部１４ｂが押圧される方向と同一とする、構造とした。
【００６９】
これにより、従来のプッシュスイッチのように、プッシュスイッチ１の後面における上下方向の中央を基板ＢＯで受けなくても、半田付け部１５ｈを基板ＢＯに半田付けすることで操作時にプッシュスイッチ１が押圧方向に傾倒することなく基板ＢＯに保持することが可能となる、という効果を奏する。
【００７０】
また、本実施形態のプッシュスイッチ１では、可動接点板１２を２枚重ねて使用する、構造とした。
【００７１】
これにより、プッシュスイッチ１の操作荷重を重くすることが可能となり、操作荷重の異なる可動接点板１２を個別に準備しなくても操作荷重を調節できる、という効果を奏する。
【００７２】
また、本実施形態のプッシュスイッチ１では、半田付け部１５ｈを含むカバー１５の下側の領域には金メッキが施されている。
【００７３】
これにより、半田付け部１５ｈを曲げ加工で形成する際に曲げによるメッキカスが出にくくなるとともに、基板ＢＯに半田付けした際の半田付け強度が向上する、という効果を奏する。
【００７４】
以上のように、本発明の実施形態に係るプッシュスイッチ１を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００７５】
（１）本実施形態において、可動接点板１２を２枚重ねて使用する構造としたが、配置可能な範囲で可動接点板１２の枚数は必要に応じて変更しても良い。
【００７６】
（２）本実施形態において、半田付け部１５ｈを含むカバー１５の下側の領域に金メッキを施したが、半田付け部１５ｈのみに施すなど金メッキを施す範囲を狭めても良い。これによりコストを削減することができる。
【００７７】
（３）本実施形態において、可動接点板１２は略楕円形状に形成されているが、円形に形成されているものでも良い。
【符号の説明】
【００７８】
１      プッシュスイッチ１
１１    ハウジング
１１ａ  基台部
１１ｂ  配置部
１１ｃ  ガイド壁
１１ｄ  案内部
１１ｅ  嵌合部
１１ｆ  嵌合面
１１ｇ  ガイド面
１２    可動接点板
１２ａ  可動接点部
１３    シート部材
１３ａ  粘着面
１４    操作体
１４ａ  基部
１４ｂ  釦部
１４ｃ  傾斜面
１４ｄ  凸部
１５    カバー
１５ａ  前面板
１５ｂ  保護壁
１５ｃ  側壁
１５ｄ  開口部
１５ｅ  延設部
１５ｆ  嵌合片
１５ｇ  爪部
１５ｈ  半田付け部
１６    固定接点
１６ａ  第１固定接点
１６ｂ  第２固定接点
１６ｃ  補強片
１６ｄ  第１端子
１６ｅ  第２端子
【図１】
0005911049.tif 000002
【図２】
0005911049.tif 000003
【図３】
0005911049.tif 000004
【図４】
0005911049.tif 000005
【図５】
0005911049.tif 000006
【図６】
0005911049.tif 000007
【図７】
0005911049.tif 000008
【図８】
0005911049.tif 000009
【図９】
0005911049.tif 000010
【図１０】
0005911049.tif 000011
【図１１】
0005911049.tif 000012
【図１２】
0005911049.tif 000013
【図１３】
0005911049.tif 000014